(57)【要約】【課題】立体映像を視聴するための偏光メガネを提供すること。【解決手段】立体メガネを用いて見る対象の関連情報が印刷されているシート状のフィルム基材の端部に立体メガネ用の第１の偏光部と第２の偏光部とが形成されたフィルムシートを提供する。これにより、映画館内で次回の予告等が印刷されているパンフレット等と、立体映像を見るための偏光メガネを一体にすることができ、そのパンフレットを別途持つ必要がなく、また従来のような偏光メガネを保持しておく必要がない。【選択図】図１
2010271470.tif 000002
【特許請求の範囲】
【請求項１】
フィルム基材の端部に立体メガネ用の第１の偏光部と第２の偏光部とが形成されたフィルムシート。
【請求項２】
前記シートには立体メガネを用いて見る対象の関連情報が印刷されていることを特徴とする請求項１に記載のフィルムシート。
【請求項３】
前記第１の偏光部と前記第２の偏光部は前記フィルム基材の対応する領域を引き伸ばして形成することを特徴とする請求項１に記載のフィルムシート。
【請求項４】
前記第１の偏光部と前記第２の偏光部は前記フィルム基材の対応する領域に第１の偏光部材と第２の偏光部材を印刷して形成することを特徴とする請求項１に記載のフィルムシート。
【請求項５】
前記第１の偏光部と前記第２の偏光部は前記フィルム基材の対応する領域に第１の偏光部材と第２の偏光部材を塗布して形成することを特徴とする請求項１に記載のフィルムシート。
【発明の詳細な説明】
【技術分野】
【０００１】
本発明は、立体画像や立体映像を偏光メガネを用いて見るためのフィルムシートに関する。
【背景技術】
【０００２】
テレビや映画館における立体映像はデジタル信号処理の技術が進んだことで各種の方式が用いられてきている。立体テレビや立体映画の立体映像の一方式として、特開２００５−２９２７２２号公報（特許文献１）に記載されている。
【０００３】
ところで、このような立体映像を見るためには偏光メガネを用いる必要がある。
【先行技術文献】
【特許文献】
【０００４】
【特許文献１】特開２００５−２９２７２２号公報
【発明の開示】
【発明が解決しようとする課題】
【０００５】
しかし、特許文献１に記載の発明においては、立体映像を見るためには偏光メガネを用いる必要がある。また映画館で同様な映画を視聴するためにも同様に偏光メガネを用いる必要がある。
【０００６】
ここで映画館等では一般的に、例えば左右のメガネ部分に対応した偏光フィルムを厚手の紙の枠で囲ったような簡易的な偏光メガネを配布し、視聴することが一般的におこなわれていることであるが、視聴者は映画のパンフレットや次回の予告のカタログと、偏光メガネを持っていなければならず、偏光メガネの管理が大変であった。
【０００７】
また、映画館内で次回の予告等の短時間の映像が上映されたり、館内のテレビにて視聴されたりすると、偏光メガネを用いて見ることはできるが、パンフレットが配布される場合に、そのパンフレットを別途持つ必要があり、手間であった。
【０００８】
本発明はこのような問題点に鑑みなされたものであり、映画館内で次回の予告等が印刷されているパンフレット等と、立体映像を見るための偏光メガネを一体にすることにより、そのパンフレットを別途持つ必要がなく、また従来のような偏光メガネを保持しておく必要がない立体映像用のフィルムシートを提供することを目的とする。
【課題を解決するための手段】
【０００９】
本発明は、上述した従来の技術の課題を解決するため、フィルム基材の端部に立体メガネ用の第１の偏光部と第２の偏光部とが形成されたフィルムシートであり、前記シートには立体メガネを用いて見る対象の関連情報が印刷されているフィルムシート。
前記第１の偏光部と前記第２の偏光部は前記フィルム基材の対応する領域を引き伸ばして形成するフィルムシート。
前記第１の偏光部と前記第２の偏光部は前記フィルム基材の対応する領域に第１の偏光部材と第２の偏光部材を印刷して形成するフィルムシート。
前記第１の偏光部と前記第２の偏光部は前記フィルム基材の対応する領域に第１の偏光部材と第２の偏光部材を塗布して形成するフィルムシートを提供する。
【発明の効果】
【００１０】
本発明のフィルムシートによれば、映画館内で次回の予告等が印刷されているパンフレット等と、立体映像を見るための偏光メガネを一体にすることにより、そのパンフレットを別途持つ必要がなく、また従来のような偏光メガネを保持しておく必要がない。
【図面の簡単な説明】
【００１１】
【図１】本発明の第１実施形態を示すシートの図である。
【図２】本発明の第１実施形態を示すシートの図である。
【図３】本発明に係るシートを用いて映像を見ることを説明するための図である。
【図４】本発明の第３実施形態を説明するための図である。
【図５】本発明の第４実施形態を説明するための図である。
【図６】本発明の第５実施形態を説明するための図である。
【発明を実施するための最良の形態】
【００１２】
以下、本発明のフィルムシートについて、添付図面を参照して説明する。
図１は本発明の第１実施形態を示すシートの図である。また、図２は第２実施形態を示すシートの図である。
図３は本発明に係るシートを用いて映像を見る場合を説明するための図である。
図４、図５、図６は第３、４、５実施形態を説明するための図である。
＜第１実施形態＞
まず、図１を用いて第１実施形態の全体構成について説明する。図１においてシート１００は光学的異方性を有さない（等方性を有する）透明なシートであり、ポリエチレン、ＰＥＴ、ポリカーボネート、アクリル等の基材を用いる。
【００１３】
このシート１００の大きさは左右の目を近づけて見るためのメガネの部分が、左右の目の間隔６ｃｍ程度を確保し、目の大きさを余裕をもって含められるように、最小の大きさをＡ７とし、Ａ７からＡ４またはそれ以上のサイズのシートを用いることができる。
【００１４】
シート１００の偏光メガネの左右の１０１、１０２の部分が、左右の目に対応した後述する直行する（９０度の）位相差を有する偏光が形成されている。
【００１５】
印刷部１０３には、映画館で上映する映画や、映画館やこれに関連する情報を記載する。特に、映画館で上映する映像に関する情報として、映画のタイトル情報、映画監督、原作者、演出者、音楽担当、主題歌の作曲者、出演者や、関連するＤＶＤ、ＢＤ等のパッケージメディアの販売者情報、関連する情報のＵＲＬ、関連出版物の情報、キャッチフレーズ、内容の概要等が記載される。例えば、図１に示すように、印刷部１０３には、次のような情報が記載されている。
【００１６】
「３Ｄシアター  立体映像  偏光メガネをかけて立体映像が楽しめる
映画タイトル  陽はまた昇る
監督  ＊＊＊
演出  ＊＊＊  
音楽  ＊＊＊
出演  西田、緒方、
感動巨編  人間ドラマ」
【００１７】
また、立体映像を視聴する場合の注意事項として、「立体映像は指定の偏光メガネを用いて見て下さい。本シートのメガネは簡易的なものであり、実際の映像を視聴する場合にはよりクリアで臨場感、立体感のある映像が楽しめること。」や、また、「健康等に配慮するために、目が疲れることにがあるので立体映像は長時間見ることは避けてください。」という情報が記載されていても良い。
【００１８】
また、「気持ちが悪くなることや、映像酔いに配慮して、体調が悪くなった場合には画像から目を離して休息してください。」等の視聴者への情報を記載しておく。なお、印刷部１０３に記載される、これらの情報は、一例である。
【００１９】
このようにすることにより、このシートを用いることにより、簡易的な立体映像を見ることができ、上映する映像に関する情報を得ることができ、立体映像を見るにあたっての注意を喚起することができる。
【００２０】
＜第２実施形態＞
第２実施形態について図２を用いて説明する。なお、全体構成は第１実施形態と同様である。図２においては、偏光部１０１、１０２に位置に対応した部分に、メガネであることを示す指標である、メガネの枠を印刷している。
【００２１】
図３は本シート１００をメガネとして用いて、偏光型の立体映像を見る場合の側面図である。スクリーン１０５は、特開２００５−２９２７２２号公報に記載されているような立体テレビのスクリーンであったり、左目用と右目用の２つの偏光に対応した、左目用と右目用の２つの映像を映写するような映画館のスクリーンであってもよい。
【００２２】
＜第３実施形態＞
偏光の詳細な形成方法について第３実施形態について図４を用いて説明する。なお、全体構成は第１実施形態と同様である。
【００２３】
偏光部１０１、１０２を矢印２０１のニ軸のそれぞれの方向にフィルムのシート１００を図示しない延伸装置を用いて延伸する。延伸が容易にできるように、境界部２００を、ＸＹ方向で、位置決め支持し、斜め４５度両方向に延伸する。延伸した結果として、端部が伸びる場合には、延伸した後に、外形をカットする。このように形成することにより特許第３４１１９５３号に記載されているように延伸軸を直行するように形成することにより偏光メガネを形成できる。
【００２４】
＜第４実施形態＞
偏光の詳細な形成方法について第４実施形態について図５を用いて説明する。なお、全体構成は第１実施形態と同様である。
【００２５】
偏光部１０１、１０２を矢印２０２、２０３のニ軸のそれぞれの方向にフィルムのシート１００を図示しない延伸装置を用いて延伸する。延伸が容易にできるように、境界部２０５を、縦横方向で、位置決め支持し、対応する境界２０４は延伸がより自由に可能なように、シートの強度を小さくするようなスリットを設けたり、Ｖ字の溝加工をすることにより、より簡単に他の部分に影響を与えないように延伸することができる。延伸はこの図では左方向と上方向におこなう。延伸した結果として、端部が伸びる場合には、延伸した後に、外形をカットする。このように形成することにより特許第３４１１９５３号に記載されているように延伸軸を直行するように形成することにより偏光メガネを形成できる。
【００２６】
＜第５実施形態＞
以下、第５実施形態について説明する。なお、第５実施形態に特に記載しない構成は第２実施形態と同様である。
【００２７】
第５実施形態では、メガネとして偏光メガネ部分に目を近づける際に鼻部がシートにぶつからないように穴部１１１を設けている。
【００２８】
また、広告宣伝表示１０３とは別に、立体映像を視聴する場合の注意事項等を１１２の領域に分けて表示している。
【００２９】
＜第６実施形態＞
以下、第６実施形態について説明する。なお、全体構成は第１、２、５実施形態と同様である。本実施形態では偏光メガネの偏光部についての形成形態に関しての説明を行う。
【００３０】
まず第６実施形態における偏光メガネの偏光部１０１、１０２は、特開２０００−２９６７００に記載されているコレステリック液晶膜を用いて、左右のめがねに対応する特性のコレステリック液晶膜を形成することによって作成する。
【００３１】
また、異なる方法としては偏光メガネの偏光部１０１、１０２は、±４５度の位相差を有する２つの偏光版を貼り付けることによって形成する。
【００３２】
また、異なる方法としては偏光メガネの偏光部１０１、１０２は、特開２００５−２９２７２２公報の００２８段落以降に記載されているような方法で形成することがでる。
また、上記のような円偏光メガネの場合以外の直線偏光方式にも適用可能である。
また、アナグラフ式3Dの、左右に対応した青、赤方式にも適用可能である。
【００３３】
本発明は以上説明した各実施形態に限定されることはなく、本発明の要旨を逸脱しない
範囲において種々変更が可能である。また、記載されて複数の実施形態は相互に要素を置換してもよく、これらの組み合わせは自由に取りえるものである。
【符号の説明】
【００３４】
１００  シート、１０１，１０２  偏光部。
【図１】
2010271470.tif 000003
【図２】
2010271470.tif 000004
【図３】
2010271470.tif 000005
【図４】
2010271470.tif 000006
【図５】
2010271470.tif 000007
【図６】
2010271470.tif 000008